(57)【特許請求の範囲】
【請求項１】
柱等のコンクリート部材の補強構造であって、前記コンクリート部材の外周面に補強シートが巻き付けられてなり、前記コンクリート部材の角部のみに、該コンクリート部材と前記補強シートとの間にゴムや発泡樹脂等の伸び能力が大きく且つ両端部から中央部に向けて漸次厚くなるよう成形されたクッション材が介装されていることを特徴とするコンクリート部材の補強構造。
【請求項２】
請求項１記載のコンクリート部材の補強構造において、前記クッション材の表面には、前記補強シートと縁を切るための表層材が配設されていることを特徴とするコンクリート部材の補強構造。
【発明の詳細な説明】
【０００１】
【発明の属する技術分野】
本発明は、例えばコンクリート製の柱等、各種コンクリート部材の耐震補強を図るに際して用いて好適なコンクリート部材の補強構造に関するものである。
【０００２】
【従来の技術】
周知のように、ビルやマンション等、各種建築物には、高い耐震性が望まれている。当然のことながら、これは新設の建築物だけでなく、既設の建築物にも同様に要求されており、このために近年では既設の建築物の耐震性を向上させるための各種補強構造や工法が開発されている。
【０００３】
このような耐震補強構造の一つとして、図３に示すように、柱等のコンクリート部材１に、例えば炭素繊維等からなる補強シート２を巻き付けるものがある。
【０００４】
【発明が解決しようとする課題】
しかしながら、上述したような従来のコンクリート部材の補強構造には、以下のような問題が存在する。
図３に示したように、補強シート２をコンクリート部材１に巻き付けるときには、地震等が発生したときにコンクリート部材１に対して拘束力を発揮するため、補強シート２をコンクリート部材１に密着させて巻き付けるが、コンクリート部材１が変形して補強シート２に引張力が働いたときに、コンクリート部材１のコーナー部１ａにおいて補強シート２に応力（歪み）が集中してしまい、この部分で補強シート２の破断が生じてしまうことがある。
【０００５】
このような問題を回避するために、従来より、コンクリート部材１のコーナー部１ａをサンダーなどで削り１０Ｒ程度に丸めた後、補強シート２を巻き付けるようにしていた。しかし、サンダーによる作業は現場の状況や作業員の習熟度などによっては仕上げが十分ではなく、補強シート２の破断が依然として生じることがあり、品質面の安定性という面で問題があった。また、サンダーでの作業は粉塵が生じるため、作業員にとっては作業環境が悪く、また周囲への粉塵の拡散を防ぐために養生の必要があり、余分なコスト・工期がかかるという問題がある。さらに、コーナー部１ａが多ければ時間がかかり、この点からも工期短縮の妨げとなっていた。
【０００６】
本発明は、以上のような点を考慮してなされたもので、安定した品質で、作業環境を向上させることができ、しかもコスト・工期を抑えることのできるコンクリート部材の補強構造を提供することを課題とする。
【０００７】
【課題を解決するための手段】
請求項１に係る発明は、柱等のコンクリート部材の補強構造であって、前記コンクリート部材の外周面に補強シートが巻き付けられてなり、前記コンクリート部材の角部のみに、該コンクリート部材と前記補強シートとの間にゴムや発泡樹脂等の伸び能力が大きく且つ両端部から中央部に向けて漸次厚くなるよう成形されたクッション材が介装されていることを特徴としている。
【０００９】
請求項２に係る発明は、請求項１記載のコンクリート部材の補強構造において、前記クッション材の表面には、前記補強シートと縁を切るための表層材が配設されていることを特徴としている。
【００１２】
【発明の実施の形態】
以下、本発明に係るコンクリート部材の補強構造およびそれに用いるクッション材の実施の形態の一例を、図１および図２を参照して説明する。ここでは、本発明に係るコンクリート部材の補強構造およびそれに用いるクッション材を、例えばコンクリート製の柱に適用する場合の例を用いて説明する。
【００１３】
図１に示すように、コンクリート製の柱（コンクリート部材）１０は、断面視略矩形で、その角部１０ａが面取りされており、これにより角部１０ａには二つのコーナー部１１が形成されている。
【００１４】
このような柱１０には、耐震補強を図るため、その外周面に補強シート１２が巻き付けられるとともに、この柱１０と補強シート１２との間には、各角部１０ａにクッション材１４が配設される構成となっている。
【００１５】
補強シート１２は、後述するように柱１０に伸ばしながら巻き付け、それによって巻き付けた後には柱１０に対して拘束力を発揮して耐震補強効果を得るものであるため、引張強度が大きくかつ伸び性が良好であるものが望ましい。このような補強シート１２に用いる材料としては、炭素繊維シート等が好適である。
【００１６】
図２に示すように、クッション材１４は、例えばゴムや発泡樹脂等、伸び能力の大きな材料からなり、その両端部１４ａ，１４ａから中央部１４ｂに向けて漸次厚くなるよう成形されている。そして、このクッション材１４の一面側には両面テープ（粘着材）１５が貼着されており、この両面テープ１５によってクッション材１４が柱１０の角部１０ａに貼着されている。さらに、クッション材１４の他面側には、表層材１６がクッション材１４の全面を覆うように配設されている。この表層材１６には、例えば離型性フィルム等が好適であり、摩擦係数を低減してその上に巻き付ける補強シート１２（図１参照）の滑りを良くすることができるとともに、クッション材１４の変形にともなって伸びることのできるものである。
【００１７】
図１に示したように、このようなクッション材１４を柱１０の角部１０ａに取り付け、柱１０と補強シート１２との間に介在させることによって、柱１０の角部１０ａのコーナー部１１はクッション材１４によって覆われ、見かけ上、丸められた状態となっている。
【００１８】
上記のようなクッション材１４を用いて補強シート１２で柱１０を耐震補強するには、図２に示したように、予めクッション材１４の一面側に両面テープ１５を貼着し、他面側に表層材１６を取り付けたものを用意しておく。このクッション材１４は、予め柱１０の角部１０ａに対応して断面略Ｌ字状に成形しておいても良い。さらに、このようなクッション材１４は、テープ状として製品化しても良い。
【００１９】
そして、柱１０の各角部１０ａにクッション材１４を両面テープ１５で張り付けた後、図１に示したように、その外周面に補強シート１２を伸ばしながら巻き付ければよい。このときに、クッション材１４の表面には表層材１６が装着されているので、巻き付ける補強シート１２の滑りが良く、角部１０ａに引っかかることもなく、これを伸ばしながら柱１０に円滑に巻き付けることができる。
【００２０】
上述した柱１０の補強構造およびそれに用いるクッション材１４では、柱１０の外周面に補強シート１２が巻き付けられ、柱１０の角部１０ａには、補強シート１２との間にクッション材１４が介装された構成となっている。これにより、柱１０に巻き付けた補強シート１２が破断したりするのを防止することができ、耐震補強を確実に図ることができる。しかも、サンダー等で柱１０の角部１０ａの丸め作業を行わなくてよいので、工期短縮化、コスト低減、作業環境の向上等の効果を得ることができる。
【００２１】
しかも、このクッション材１４は、一面側に両面テープ１５が配設され、他面側には補強シート１２との縁を切るための表層材１６が配設された構成となっている。これにより、クッション材１４を柱１０に取り付けるに際しては、両面テープ１５で貼り付けるのみでよく作業を容易に行うことができる。また、貼り付けたクッション材１４の表面には表層材１６が配されているので、クッション材１４を貼り付けた後に補強シート１２を巻き付けるに際して滑りを良くし、伸ばしながら良好に巻き付けることができる。しかも、巻き付けた後には補強シート１２の全体で歪みを均一化させることができ、この点によっても補強シート１２の破れを防止するとともに、柱１０の拘束効果を良好に発揮することができる。
【００２２】
ところで、上記実施の形態の説明に用いた図１において、補強シート１２と柱１０との間に隙間があるように見えるが、これはクッション材１４の存在を明確にするためであり、本来はクッション材１４は圧縮され、補強シート１２が柱１０の側面に密着するのは言うまでもない。
【００２３】
なお、上記実施の形態における各構成については、本発明の主旨を逸脱しない限り、上記以外の他の構成を採用しても良い。
例えば、上記実施の形態では、本発明に係るコンクリート部材の補強構造およびそれに用いるクッション材を柱１０に適用する構成としたが、もちろんこれを梁や他の部材に適用してもよい。
また、言うまでもないが、柱１０等は、コンクリート製であれば、鉄筋コンクリート造、鉄骨鉄筋コンクリート造等を問うものではなく、また現場打ちあるいはプレキャスト等についても何ら問うものではない。
さらに、用いる補強シート１２は、柱１０に対して良好な補強効果が得られるのであればいかなるものであっても良い。また、本発明における「補強シート」は、テープ状等のものも含むことを意図している。
さらに加えて、クッション材１４を柱１０等のコンクリート部材に貼着させるための粘着材として、例えば両面テープ１５を用いる構成としたが、これに代えて、各種粘着剤や接着剤等を用いることも可能である。
【００２４】
これ以外にも、本発明の主旨を逸脱しない範囲内であれば、いかなる構成を採用しても良く、また上記したような構成を適宜選択的に組み合わせたものとしても良いのは言うまでもない。
【００２５】
【発明の効果】
以上説明したように、請求項１に係るコンクリート部材の補強構造によれば、コンクリート部材の外周面に例えば炭素繊維シート等の補強シートを巻き付け、コンクリート部材の角部のみに、ゴムや発泡樹脂等の伸び能力が大きく且つ両端部から中央部に向けて漸次厚くなるよう成形されたクッション材を両面テープ，粘着剤等の粘着材で貼り付ける等して、補強シートとの間に介装させる構成とした。このようにしてクッション材をコンクリート部材の角部と補強シートとの間に介装させることによって、コンクリート部材に巻き付けた補強シートが破断したりするのを防止することができ、耐震補強を確実に図ることができる。しかも、サンダー等でコンクリート部材の角部の丸め作業を行わなくてよいので、工期短縮化、コスト低減、作業環境の向上等の効果を得ることができる。
【００２６】
請求項２に係るコンクリート部材の補強構造によれば、クッション材の表面に、補強シートと縁を切るための表層材を配設する構成とした。これにより、補強シートをコンクリート部材に巻き付けるときに、クッション材に引っかかることなく補強シートを良好に巻き付けることができる。したがって、コンクリート部材に巻き付けた補強シートの歪みを均一化して耐震補強効果を効率よく発揮することができる。
【図面の簡単な説明】
【図１】  本発明に係るコンクリート部材の補強構造およびそれに用いるクッション材を適用して補強したコンクリート部材の一例を示す平断面図である。
【図２】  前記コンクリート部材にクッション材を取り付けた状態を示す平断面図である。
【図３】  従来のコンクリート部材の補強構造を示す平断面図である。
【符号の説明】
１０  柱（コンクリート部材）
１０ａ  角部
１２  補強シート
１４  クッション材
１５  両面テープ（粘着材）
１６  表層材
【図１】
0003777524.tif 000002
【図２】
0003777524.tif 000003
【図３】
0003777524.tif 000004